(57)【特許請求の範囲】
【請求項１】
機器にて各種の配線類を余長部分を持たせて収納するための配線収納構造において、
前記機器に配設されて、前記配線類を直線方向に延ばした状態に沿わせるブラケットを備え、
前記ブラケットに、前記配線類の余長部分を前記直線方向の側方に湾曲させて導き、該ブラケットの先端側より延び出る配線類の延出部分の長さを調整可能な余長ガイドを設け、
前記余長ガイドは、前記ブラケットにて前記直線方向に相互に離隔して配され、前記配線類の途中が屈曲可能に接触する２つの固定軸と、これらの固定軸の間に位置してこれら固定軸とともに配線類の動きを側方に規制する固定軸とから成り、
前記配線類の余長部分は、前記固定軸の間を通って側方に湾曲すると共に、前記配線類の延出部分の押し引きに応じて、前記固定軸の間にて湾曲方向が規制されつつ湾曲長さが変化する状態に配索されたことを特徴とする配線収納構造。
【請求項２】
前記ブラケットにて、前記余長ガイドがある部位に、前記配線類の湾曲した余長部分を上方から覆う状態に配され、該余長部分の上方への変形を規制するカバー部を設けたことを特徴とする請求項１に記載の配線収納構造。
【請求項３】
前記ブラケットは、前記直線方向に延びる一部品から成り、その内側に、前記配線類を前記湾曲した余長部分を除き直線状に収納する空間を備え、該空間に、前記配線類の延出部分が押し引きされる際に出没可能な開口を設けたことを特徴とする請求項１または２に記載の配線収納構造。
【発明の詳細な説明】
【技術分野】
【０００１】
本発明は、機器にて各種の配線類を余長部分を持たせて収納するための配線収納構造に関する。
【背景技術】
【０００２】
従来、この種の配線収納構造を備える機器としては、例えば照明装置があり、特に鉄道車両や航空機等の乗物の客室内に用いる照明装置として、ＬＥＤランプを光源に採用し、直接光ないし間接光により客室内を照らすように構成されたものが知られている。例えば特許文献１には、ＬＥＤ等を使用した直管状光源部と、直管状光源部に給電する給電部と、給電部が取り付けられる板状ケーシングの取付部と、給電部を介して直管状光源部に電力を供給する電源回路部と、を有する照明機器が開示されている。
【０００３】
かかる照明機器は、取付部の上面側（天井側）に電源回路部を収容する収容部を有し、電源回路部は収容部内に収容され、収容部に設けられたコネクタによって外部電源および給電部と電気的に接続される点に特徴がある。従って、照明機器全体を外すことなく電源回路部の交換を簡単に行うことができ、また、コネクタへの取り付けによって電気的に接続が完了するため、配線の余長をなくしてその振動を抑制することができる。
【０００４】
このような照明機器は、一般に客室天井に直列状に連続して設置されるが、その際に、次の事項を遵守する必要があった。すなわち、取り付け取り外しを考慮すると、配線には十分な余長が必要である。また、設置後は配線が車両の振動等のバタつきにより、異音が発生してはならない。さらに、隣接する機器は密接して設置されるため、取り付け取り外しの際に、接続コネクタに負担がかからないようにする必要がある。
【０００５】
ところが、特許文献１に開示された照明機器では、各照明機器ごとに車両側から配線を延ばして収容部のコネクタに並列状に接続する場合には、前述した効果を奏するが、直列状に連続して設置された各照明機器に亘って、一端の機器から他端の機器まで配線も直列状に互いに接続するような場合には、次のような問題があった。
【０００６】
すなわち、照明機器の設置時に１つずつ機器を天井側に取り付けつつ、隣接する同士で配線を互いに直列状に順次接続することになるが、このとき、先に天井側に取り付けた機器からは配線を引き延ばして、接続作業のための十分な余長が必要となる反面、取り付け後に余長をそのまま放置すると、振動により異音が生じてしまうことになる。また、一部の照明機器を取り外したりする時は、十分な余長がないと機器間の配線の接続箇所に負担がかかるという問題もあった。
【０００７】
このような配線の余長に関する従来の技術として、例えば引用文献２には、前述した照明機器とは技術分野が異なるが、筐体本体と開閉扉の間でケーブルの架設を簡素な構成で容易に安全に行なうことができるケーブルの架設機構が開示されている。これは、ケーブルを扉の内壁面上でカーブさせるよう筐体本体と扉の各々の内壁面に固定するナイロンクリップと、カーブを形成する内壁面上で、かつ筐体本体の接合近傍で、ケーブルを遊挿状態で保持するナイロンクリップとを有し、扉を閉じる際に増加するケーブルの余長部分をケーブルのカーブの変化により吸収するものであった。
【先行技術文献】
【特許文献】
【０００８】
【特許文献１】特開２０１１−２１８８４６号公報
【特許文献２】特開平９−０４６０６６号公報
【発明の概要】
【発明が解決しようとする課題】
【０００９】
しかしながら、前述した特許文献２に開示された従来の技術では、具体的な配線の配索形態や技術分野が異なるだけでなく、前述した直列状に設置する照明機器に仮に適用するとしても、機器の取り付け取り外し時における配線類の全体的な動きも異なる関係上、技術的に組み合わせることは困難である。よって、機器の取り付け時に機器間の配線接続に必要な配線の動きに応じた余長を確保できず、また、取り付け後に余長部分の振動による異音発生も防止することができないという問題があった。
【００１０】
本発明は、以上のような従来の技術の有する問題点に着目してなされたものであり、配線類に十分な余長を持たせて、必要に応じて機器外部に延ばすことができる一方、機器内部に引っ込めた際の余長を限られたスペース内の定位置に収納することができ、機器の取り付け取り外し時における配線類同士の接続の作業効率が良く、振動による余長部分からの異音発生も防止できる配線収納構造を提供することを目的としている。
【課題を解決するための手段】
【００１１】
前述した目的を達成するための本発明の要旨とするところは、以下の各項の発明に存する。  
［１］機器（１０）にて各種の配線類（１５）を余長部分（１５ａ）を持たせて収納するための配線収納構造において、
前記機器（１０）に配設されて、前記配線類（１５）を直線方向に延ばした状態に沿わせるブラケット（２０）を備え、
前記ブラケット（２０）に、前記配線類（１５）の余長部分（１５ａ）を前記直線方向の側方に湾曲させて導き、該ブラケット（２０）の先端側より延び出る配線類（１５）の延出部分（１５ｂ）の長さを調整可能な余長ガイド（２１）を設け、
前記余長ガイド（２１）は、前記ブラケット（２０）にて前記直線方向に相互に離隔して配され、前記配線類（１５）の途中が屈曲可能に接触する２つの固定軸（２２，２３）と、これらの固定軸（２２，２３）の間に位置してこれら固定軸（２２，２３）とともに配線類（１５）の動きを側方に規制する固定軸（２５）とから成り、
前記配線類（１５）の余長部分（１５ａ）は、前記固定軸（２２，２３，２５）の間を通って側方に湾曲すると共に、前記配線類（１５）の延出部分（１５ｂ）の押し引きに応じて、前記固定軸（２２，２３，２５）の間にて湾曲方向が規制されつつ湾曲長さが変化する状態に配索されたことを特徴とする配線収納構造。
【００１３】
［２］前記ブラケット（２０）にて、前記余長ガイド（２１）がある部位に、前記配線類（１５）の湾曲した余長部分（１５ａ）を上方から覆う状態に配され、該余長部分（１５ａ）の上方への変形を規制するカバー部（２１ａ）を設けたことを特徴とする前記［１］に記載の配線収納構造。
【００１４】
［３］前記ブラケット（２０）は、前記直線方向に延びる一部品から成り、その内側に、前記配線類（１５）を前記湾曲した余長部分（１５ａ）を除き直線状に収納する空間を備え、該空間に、前記配線類（１５）の延出部分（１５ｂ）が押し引きされる際に出没可能な開口を設けたことを特徴とする前記［１］または［２］に記載の配線収納構造。
【００１５】
次に、前述した解決手段に基づく作用を説明する。  
前記［１］に記載の配線収納構造によれば、機器（１０）にて各種の配線類（１５）は、機器（１０）に配設してあるブラケット（２０）に対して、直線方向に延ばした状態に沿わせて収納する。かかるブラケット（２０）には余長ガイド（２１）が設けられており、配線類（１５）を余長部分（１５ａ）を含めて小スペースに収納することができる。また、配線類（１５）をタイマウント等の固定具を用いて固定する必要もなく、配線類（１５）の配索作業を容易に行うことができる。
【００１６】
ブラケット（２０）の余長ガイド（２１）は、配線類（１５）の余長部分（１５ａ）を直線方向の側方に湾曲させて導くことにより、ブラケット（２０）の先端側より延び出る配線類（１５）の延出部分（１５ｂ）の長さを調整することができる。すなわち、ブラケット（２０）の先端側より配線類（１５）の延出部分（１５ｂ）を外部に引き出すと、余長ガイド（２１）に導かれて湾曲した余長部分（１５ａ）は短くなる一方、ブラケット（２０）の先端側より配線類（１５）の延出部分（１５ｂ）を内部に押し込むと、余長ガイド（２１）に導かれて湾曲する余長部分（１５ａ）は長くなる。
【００１７】
このような配線収納構造によれば、配線類（１５）はブラケット（２０）に沿って直線状に収納されると共に、延出部分（１５ｂ）の引き出し量に応じて湾曲長さが変化する余長部分（１５ａ）も、余長ガイド（２１）により定位置にとどめることができる。従って、配線に十分な余長部分（１５ａ）を持たせることが可能となり、機器（１０）を設置する際には、配線の他の機器（１０）ないし外部との接続作業が容易となる。
【００１８】
しかも、機器（１０）の取り付け取り外しに際しては、余長部分（１５ａ）ないし延出部分（１５ｂ）の伸縮の自由度が大きいため、機器（１０）自体の着脱作業も容易となり、配線類（１５）の接続箇所（コネクタ等）に負担がかかることもない。さらに、機器（１０）の設置後においては、余長部分（１５ａ）が定位置に収まっているため、機器（１０）の振動に伴ってバタつくこともなく、異音の発生も防ぐことができる。
【００１９】
前記余長ガイド（２１）は具体的には、前記ブラケット（２０）にて直線方向に相互に離隔して配され、配線類（１５）の途中が屈曲可能に接触する２つの固定軸（２２，２３）と、これらの固定軸（２２，２３）の間に位置する固定軸（２５）から構成することができる。ここで配線類（１５）の余長部分（１５ａ）は、固定軸（２２，２３，２５）の間を通って側方に湾曲すると共に、配線類（１５）の延出部分（１５ｂ）の押し引きに応じて、固定軸（２２，２３，２５）の間にて湾曲方向が規制されつつ湾曲長さが変化する状態に配索される。このような非常に簡易な構成により、配線類（１５）の余長部分（１５ａ）の動きを所定範囲に規制しつつ湾曲長さを吸収でき、余長部分（１５ａ）を０定位置に収めることができる。
【００２０】
また、前記［２］に記載したように、前記ブラケット（２０）にて、前記余長ガイド（２１）がある部位に、配線類（１５）の湾曲した余長部分（１５ａ）を上方から覆う状態に配され、該余長部分（１５ａ）の上方への変形を規制するカバー部（２１ａ）を設けると良い。これにより、余長部分（１５ａ）が側方のみならず、上方へ変形することを確実に防止することができ、いっそう余長部分（１５ａ）の余計な動きによる異音の発生を防止することができる。なお、余長部分（１５ａ）の下方に関しては、ブラケット（２０）の底部や機器（１０）自体の底面によって下方への変形を規制できるものとする。
【００２１】
前記［３］に記載の配線収納構造によれば、前記ブラケット（２０）は、直線方向に延びる一部品から成り、その内側に、配線類（１５）を湾曲した余長部分（１５ａ）を除き直線状に収納する空間を備え、該空間に、配線類（１５）の延出部分（１５ｂ）が押し引きされた際に出没可能な開口が設けられている。このようなブラケット（２０）の構成によれば、部品点数や組立工数も少なく、容易に製作することができ、コストを低減することができる。
【発明の効果】
【００２２】
本発明に係る配線収納構造によれば、配線類を余長部分を含めて小スペースに収納することができ、配線類を固定具を用いて固定する必要もなく、配線類の配索作業を容易に行うことができる。また、配線に十分な余長部分を持たせることが可能となり、機器を設置する際には、配線の他の機器ないし外部との接続作業が容易となる。
【００２３】
さらに、余長部分ないし延出部分の伸縮の自由度が大きいため、機器自体の着脱作業も容易となり、配線類の接続箇所（コネクタ等）に負担がかかることもない。しかも、余長部分は定位置に収まるため、機器の振動に伴ってバタつくこともなく、異音の発生も防ぐことができる。
【図面の簡単な説明】
【００２４】
【図１】本発明の実施の形態に係る配線収納構造を備えた機器を示す斜視図である。
【図２】本発明の実施の形態に係る配線収納構造を備えた機器を別の角度から見た斜視図である。
【図３】本発明の実施の形態に係る配線収納構造を備えた機器を示す平面図である。
【図４】本発明の実施の形態に係る配線収納構造を備えた機器を示す正面図である。
【図５】本発明の実施の形態に係る配線収納構造を備えた機器を示す側面図である。
【図６】本発明の実施の形態に係る配線収納構造の要部であるブラケットの余長ガイドを拡大して示す斜視図である。
【図７】本発明の実施の形態に係る配線収納構造のブラケットの開口を拡大して示す斜視図である。
【図８】本発明の実施の形態に係る配線収納構造の作用を説明するための説明図である。
【発明を実施するための形態】
【００２５】
以下、図面に基づき、本発明を代表する実施の形態を説明する。  
図１〜図８は、本発明の一実施の形態を示している。  
本実施の形態に係る配線収納構造は、機器１０内にて各種の配線類１５を余長部分１５ａを持たせて収納するための構造である。以下、機器として、乗物の客室内に用いる照明装置に適用した場合を例に説明する。
【００２６】
機器１０である照明装置は、図示省略したが乗物の客室内の天井部に配置されるものであり、ＬＥＤランプを光源に採用し、直接光ないし間接光により客室内を照らすように構成されている。かかる照明装置は、機器１０の外形を成すケース本体１１と、該ケース本体１１の上面側に配設される電源基板１４と、外部から電源基板１４に給電する電源ケーブルを含む配線類１５の他、図示省略した前記ＬＥＤランプ等を備えている。さらに、機器１０には、前記配線類１５を沿わせるブラケット１７，２０が配設されている。
【００２７】
図１に示すように、ケース本体１１は全体的には長尺に延びた形状であり、細長矩形の上面部１２と、その下側を囲むように覆うカバー部１３とから成る。ケース本体１１は、そのカバー部１３側を下方に向けた状態で客室内の天井部に設置される。なお、天井部には、上面部１２の外面側（天井部側）を対接させた状態に取り付けるクロスメンバ等の取付部位が予め設けられている。
【００２８】
上面部１２は、アルミニウム等の金属や不燃性の樹脂等により容易に押出し成形することができる板状となっている。ただし、単に平らな板状に限ることなく、要所で湾曲ないし屈曲させた断面形状に成形しても良く、その外面ないし内面には、それぞれ必要に応じて凹溝や凸条等を成形時に一体成形しても良い。このような上面部１２の外面側（天井部側）に、電源基板１４や配線類１５、それにブラケット２０等が配設されている。
【００２９】
カバー部１３は、その内部に配設されたＬＥＤランプから出射された光を直接光または間接光として透過させるものであり、透光性の樹脂材料により成形されている。かかるカバー部１３は、前記上面部１２の内面側を囲むように取り付けられるものであり、例えば図示したケース状に成形されている。本機器１０ではカバー部１３の内側に、電源基板１４や配線類１５等を収納するスペースはなく、これらは前述したように上面部１２の外面側（天井部側）に配設される。
【００３０】
ケース本体１１の上面部１２の外面側（天井部側）には、その長手方向の一端側から他端側にかけて配線類１５がほぼ直線方向に延ばした状態で配索されている。ここで配線類１５とは、主として給電するための電源コードであるが、点灯制御を行うコントローラを備える場合には、その信号線等も含む場合もある。また、給電用の電源コードや制御用の信号線に限られることなく、様々な電線、コード、ハーネスの類が該当する。なお、配線類１５は安易に座屈しない程度の硬さを備えており、後述の余長部分１５ａを除き容易に直線状に延びた状態を維持できるものである。
【００３１】
上面部１２の外面側の略中央には、電源基板１４がハウジングに収納された状態で配設されている。電源基板１４は、外部から給電された交流電力をＬＥＤ点灯用の直流に変換する基板であり、分岐線１５ｃ（図３参照）を介して配線類１５の途中に接続されている。また、配線類１５は、電線（図示せず）を介してＬＥＤランプに接続されている。なお、配線類１５の傍らには、点灯制御を行うコントローラ（制御基板）を配設しても良く、この場合、コントローラも電源基板１４と信号線を介して接続される。
【００３２】
図１において、電源基板１４より上面部１２の一端側には、配線類１５を直線方向に延ばした状態で沿わせるブラケット１７が配設されている。このブラケット１７より延出した配線類１５の一端側は、上面部１２の一端側に固定されており、その先端に接続用のコネクタ１６ａが設けられている。ブラケット１７は、細幅状に延びて全長に亘りＬ字形断面に折曲された金属片から成り、底面壁には上面部１２に固定する一対の取付片が延び出るように設けられている。かかるブラケット１７は、その底面壁が上面部１２の外面側の一側端縁に沿って固定され、該ブラケット１７の底面壁と側面壁の角の内側に沿うように配線類１５は配索される。なお、前記コネクタ１６ａは、別のブラケット１８を介して上面部１２の一端に固定されている。
【００３３】
一方、電源基板１４より上面部１２の他端側には、配線類１５をその余長部分１５ａを除き直線方向に延ばした状態に沿わせるブラケット２０が配設されている。このブラケット２０が、本願発明の根幹を成すものであり、ブラケット２０より延出した配線類１５の他端側は、固定されておらず機器１０（ブラケット２０）に対して押し引き可能であり、余長部分１５ａの変化に応じて長さを調整可能な延出部分１５ｂとなっている。この延出部分１５ｂの先端にも、接続用のコネクタ１６ｂが設けられている。
【００３４】
図６、図１に示すように、前記ブラケット２０は、主として細幅状に延びて一部がＬ字形断面に折曲された２つの金属片２０ａ，２０ｂを上下に組み合わせて成り、全体として直線方向に延びる一部品として構成されている。上方の金属片２０ａの上面壁と下方の金属片２０ｂの底面壁は互いに上下平行に対向し、また、それぞれの側面壁は互いに左右平行に対向しており、これらの内側が、配線類１５（余長部分１５ａを除く）を直線状に収納する空間となっている。
【００３５】
上下の金属片２０ａ，２０ｂは、それぞれを離隔させた状態に固定するためのカラーやカラーに挿通させたボルト等で一体に組み合わされている。また、下方の金属片２０ｂの底面壁には、その両端に前記上面部１２に固定する一対の取付片が延び出るように設けられている。なお、ブラケット２０も、前記ブラケット１７と同様に上面部１２の外面側の一側端縁に沿って固定されている。
【００３６】
図６に示すように、ブラケット２０の基端側には、配線類１５の余長部分１５ａを収納するための余長ガイド２１が設けられている。ここで余長部分１５ａは、配線類１５を外部と接続する作業時に必要となる遊び分の長さがあり、余長部分１５ａの湾曲に応じて前記延出部分１５ｂを機器１０（ブラケット２０）に対して引き出したり押し込めることができる。機器１０である照明装置は、複数が客室内の天井部に沿って前後方向に密に並ぶよう直列状に配置されるものであり、詳しくは後述するが、各機器１０を順次取り付ける際に、余長部分１５ａが接続作業上必要となる。
【００３７】
余長ガイド２１は、配線類１５の余長部分１５ａを、該配線類１５全体が延びる直線方向の側方に湾曲させて導き、ブラケット２０より延び出る前記延出部分１５ｂの長さを調整可能なものである。詳しく言えば余長ガイド２１は、ブラケット２０の基端側にて直線方向に相互に離隔して配され、配線類１５の途中が屈曲可能に接触する２つの固定軸２２，２３から成る。ここで固定軸２２，２３は、前述した各金属片２０ａ，２０ｂを互いに対向する状態に固定するためのカラーないしボルトが相当する。
【００３８】
このような余長ガイド２１によれば、配線類１５の余長部分１５ａは、２つの固定軸２２，２３の間を通って側方に湾曲すると共に、前記延出部分１５ｂの押し引きに応じて、２つの固定軸２２，２３の間にて湾曲方向が規制されつつ湾曲長さが変化する状態に配索される。ここで余長部分１５ａは、２つの固定軸２２，２３の間の一方側には湾曲するが、他方側は金属片２０ａの側面壁によって湾曲が規制される。
【００３９】
図６において、一の固定軸２２に対しては、余長部分１５ａの手前側が接触することで、該余長部分１５ａは直線状の状態から側方に湾曲するように屈曲する。この固定軸２２よりブラケット２０の手前側に離隔した位置には、配線類１５の途中が接触することで、固定軸２２に至る配線類１５の途中をブラケット２０内に留めて直線状に保つための固定軸２４が設けられている。なお、固定軸２２は、各金属片２０ａ，２０ｂ間に溶接したカラーであるが、固定軸２４は、各金属片２０ａ，２０ｂ間に固定したカラー付きボルトである。
【００４０】
他の固定軸２３に対しては、余長部分１５ａの奥側が接触することで、該余長部分１５ａは湾曲した状態から直線状に戻るように屈曲する。この固定軸２３の直ぐ手前には、配線類１５が挿通可能な隙間分だけ離れた位置に、配線類１５の動きを固定軸２３と共に湾曲方向に規制する固定軸２５が設けられている。このような固定軸２５は、固定軸２３による余長部分１５ａの動きの規制を補助するものであり、各金属片２０ａ，２０ｂ間に溶接したカラーである。なお、固定軸２３は、各金属片２０ａ，２０ｂ間に固定したカラー付きボルトである。
【００４１】
前記ブラケット２０で余長ガイド２１がある部位には、配線類１５の湾曲した余長部分１５ａを上方から覆う状態に配され、該余長部分１５ａの上方への変形を規制するカバー部２１ａが設けられている。かかるカバー部２１ａは、上方の金属片２０ａにおける上面壁の基端側より、側方に延び出る舌片状に設けられている。なお、カバー部２１ａは、前述した下方の金属片２０ｂの底面壁にある取付片と上下に対向するように配されている。
【００４２】
図７に示すように、ブラケット２０の先端側は、配線類１５の延出部分１５ｂが押し引きされる際に出没可能に開口している。かかる開口の傍らも、各金属片２０ａ，２０ｂを互いに対向する状態に固定するカラー付きボルト２６によって支持されている。前述したように配線類１５は、多少の力を加えた程度では座屈しない硬さを備えており、配線類１５の延出部分１５ｂを前記開口より出没するように押し引きすることができる。
【００４３】
次に、本実施の形態に係る配線収納構造の作用について説明する。  
一般に、この種の機器１０を隣接して設置するような場合には、各機器１０ごとに配線同士を接続する際には、配線スペースの確保や配線の引出し方向に制約が生じる。ところが、本配線収納構造を適用することにより、配線類１５の接続ないし配索の作業労力の削減を図ることができ、また、取り付け側（客室内の天井部）に確保する必要がある取り付けスペースも極力削減することができる。
【００４４】
図１に示すように、機器１０にて各種の配線類１５は、ケース本体１１の内部ではなく、上面部１２の外面側で、その長手方向の一端側から他端側にかけてほぼ直線方向に延ばした状態に配索される。よって、配線類１５を他の機器の配線類１５と接続するに際し、ケース本体１１のカバー部１３等を開閉する必要はなく、配線類１５の接続作業を容易に行うことができる。
【００４５】
配線類１５のうち特に電源基板１４より上面部１２の他端側では、ブラケット２０に対して、余長部分１５ａを除き直線方向に延ばした状態に沿わせて収納される。かかるブラケット２０には余長ガイド２１が設けられており、余長部分１５ａを含めて小スペースに収納することができる。また、配線類１５をタイマウント等の固定具を用いて固定する必要もなく、配線類１５の配索作業も容易に行うことができる。
【００４６】
図８に示すように、ブラケット２０の余長ガイド２１は、配線類１５の余長部分１５ａを直線方向の側方に湾曲させて導くことにより、ブラケット２０の一端側より延び出る配線類１５の延出部分１５ｂの長さを調整することができる。すなわち、ブラケット２０の開口より配線類１５の延出部分１５ｂを外部に引き出すと、余長ガイド２１に導かれて湾曲した余長部分１５ａは短くなる一方、ブラケット２０の開口より配線類１５の延出部分１５ｂを内部に押し込むと、余長ガイド２１に導かれて湾曲する余長部分１５ａは長くなる。
【００４７】
このような配線収納構造によれば、配線類１５はブラケット２０に沿って直線状に収納されると共に、延出部分１５ｂの引き出し量に応じて湾曲長さが変化する余長部分１５ａも、余長ガイド２１により定位置にとどめることができる。従って、配線に十分な余長部分１５ａを持たせることが可能となり、機器１０を設置する際には、配線の他の機器１０ないし外部との接続作業が容易となる。
【００４８】
複数の機器１０を客室内の天井部に対して直列状に連続して設置する場合、１つずつ機器１０を天井部に取り付けながら配線類１５を順次接続することになる。すなわち、機器１０を、既に天井部に取り付けた機器１０に隣接させて取り付ける際、各機器１０の配線類１５同士を互いに直列に接続するが、この接続作業の便宜上、これから取り付ける機器１０より配線類１５の余長部分１５ａの長さ分だけ、延出部分１５ｂをブラケット２０の外部に引き出しておく。そして、延出部分１５ｂの先にあるコネクタ１６ｂを、他の機器１０の一端側より覗く配線類１５のコネクタ１６ａに容易に接続することができる。
【００４９】
隣接する機器１０同士の配線類１５を互いに接続した後は、延出部分１５ｂを引き出していた機器１０を新たに天井部に取り付けつつ、その延出部分１５ｂをブラケット２０の先端側の開口より内部に押し込めるようにする。かかる動作に伴って、ブラケット２０内で増大する余長部分１５ａは、余長ガイド２１によって側方に大きく湾曲しつつ収納されることになる。
【００５０】
このように、機器１０の取り付けの際、あるいは取り外しに際しても、余長部分１５ａないし延出部分１５ｂの伸縮の自由度が大きいため、機器１０自体の着脱作業も容易となり、配線類１５の接続箇所（コネクタ１６ａ等）に負担がかかることもない。さらに、機器１０の設置後においては、余長部分１５ａが余長ガイド２１によって定位置に収められるため、機器１０の振動に伴ってバタつくこともなく、異音の発生も防ぐことができる。
【００５１】
余長ガイド２１は、前述したようにブラケット２０にて直線方向に相互に離隔して配した２つの固定軸２２，２３から構成することができる。余長部分１５ａは、２つの固定軸２２，２３の間を通って側方に湾曲すると共に、延出部分１５ｂの押し引きに応じて、２つの固定軸２２，２３の間にて湾曲方向が規制されつつ湾曲長さが変化する。このような非常に簡易な構成により、配線類１５の余長部分１５ａの動きを所定範囲に規制しつつ湾曲長さを吸収でき、余長部分１５ａを定位置に収めることができる。
【００５２】
また、ブラケット２０にて、余長ガイド２１がある部位には、余長部分１５ａを上方から覆う状態に配され、該余長部分１５ａの上方への変形を規制するカバー部２１ａが設けられている。これにより、余長部分１５ａが側方のみならず、上方へ変形することを確実に防止することができ、いっそう余長部分１５ａの余計な動きによる異音の発生を防止することができる。なお、余長部分１５ａの下方に関しては、ブラケット２０の底面壁や上面部１２自体の外表面によって下方への変形を規制できる。
【００５３】
さらに、ブラケット２０は、前述したように上下の金属片２０ａ，２０ｂを組み合わせた一部品から成り、その内側に、配線類１５を湾曲した余長部分１５ａを除き直線状に収納する空間を備え、先端側に、延出部分１５ｂが押し引きされた際に出没可能な開口が設けられている。このようなブラケット２０の構成によれば、部品点数や組立工数も少なく、容易に製作することができ、コストを低減することができる。
【００５４】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、機器１０として照明装置を例に説明したが、特に照明装置に限定されるものではなく、配線類を備えた様々な装置に適用することができる。
【００５５】
また、ケース本体１１やブラケット２０の具体的な形状も、図示した例に限定されることはない。さらに、余長ガイド２１に関しては、２つの固定軸２２，２３以外の構造により、同等の作用を発揮し得るように構成しても良い。また、ブラケット２０は必ずしも一部品に限られることはなく、複数部品に分けて構成しても良い。さらに、余長ガイド２１を成す２つの固定軸２２，２３については、その外周が回転する構成として、配線類１５が滑らかに摺接して屈曲するように構成しても良い。
【産業上の利用可能性】
【００５６】
本発明に係る配線収納構造は、乗物の客室内に用いる照明装置に限られることなく、各種の配線類を備えた様々な機器に幅広く利用することができる。
【符号の説明】
【００５７】
１０…機器
１１…ケース本体
１２…上面部
１３…カバー部
１４…電源基板
１５…配線類
１５ａ…余長部分
１５ｂ…延出部分
１６ａ…コネクタ
１６ｂ…コネクタ
１７…ブラケット
２０…ブラケット
２１…余長ガイド
２１ａ…カバー部
２２…固定軸
２３…固定軸
２４…固定軸
２５…固定軸
【図１】
0006406909.tif 000002
【図２】
0006406909.tif 000003
【図３】
0006406909.tif 000004
【図４】
0006406909.tif 000005
【図５】
0006406909.tif 000006
【図６】
0006406909.tif 000007
【図７】
0006406909.tif 000008
【図８】
0006406909.tif 000009